(57)【特許請求の範囲】
【請求項１】
既製コンクリート杭の頭部に装着され、吊りワイヤーを介して該既製コンクリート杭を吊り上げ、杭打ち機に装着させるための既製コンクリート杭吊り装置であって、
前記既製コンクリート杭の頭部外周に嵌合されて固定される円筒形の垂直吊り部材と、該垂直吊り部材の下側にあって前記既製コンクリート杭の外周に嵌合される円筒形の傾斜吊り部材とを有し、
前記垂直吊り部材は、端部に内向きフランジ状の杭固定部を有すると共に、外周の適宜個所に該垂直吊り部材を固定した既製コンクリート杭を垂直に吊り上げるための垂直吊り用吊り金具を備え、
前記傾斜吊り部材には、その外周の片側に片寄せた位置に前記既製コンクリート杭を傾斜させた状態で吊り上げるための傾斜吊り用吊り金具を備え、
前記垂直吊り部材と傾斜吊り部材とを、互いに固定自在にしたことを特徴としてなる既製コンクリート杭吊り装置。
【請求項２】
前記垂直吊り部材と傾斜吊り部材との各接合側端部には外向きフランジを一体に備え、その両フランジ間をボルト止めすることによって該垂直吊り部材と傾斜吊り部材とを固定自在にした請求項１に記載の既製コンクリート杭吊り装置。
【請求項３】
前記両外向きフランジの一方に前記胴部と同一中心半径の円弧状をしたボルト挿入用長孔を備え、該長孔を通して他方側のフランジをボルト止めする請求項２に記載の既製コンクリート杭吊り装置。
【請求項４】
前記垂直吊り部材は、円筒状の胴部と、該胴部先端に一体化されたリング状のフランジ部材とを有し、該フランジ部材をもって前記杭固定部を構成させ、該フランジ部材に、前記既製コンクリート杭の先端面に備えられているネジ孔に対応する位置に杭固定用のボルト挿入穴が設けられている請求項１〜３の何れか１に記載の既製コンクリート杭吊り装置。
【請求項５】
前記垂直吊り部材には、その胴部の外周にあって、該胴部の軸心を中心として互いに対称な位置に一対の前記垂直吊り用吊り金具を備えてなる請求項１〜４の何れか１に記載の既製コンクリート杭吊り装置。
【請求項６】
前記傾斜吊り部材は円筒状の胴部を有し、該胴部の下端側外周に前記傾斜吊り用吊り金具を備えてなる請求項１〜５の何れか１に記載の既製コンクリート杭吊り装置。
【発明の詳細な説明】
【技術分野】
【０００１】
本発明は、既製のコンクリート杭を地中に打ち込む際に、杭を杭打ち込み装置に接続するにあたって、杭を吊るための杭吊り装置に関する。
【背景技術】
【０００２】
従来、中掘り工法を用いて杭を沈設する際には、最初に埋設する杭は、予め下杭内に挿入されているスパイラルロッドをオーガ駆動装置に接続させるために斜めに吊る必要があり、その他の杭は、既に埋設されている杭と垂直に接続するために垂直に吊る必要がある。その際に用いられる杭吊り装置として、取付フランジと吊り金具からなる下杭用吊り装置及び上中杭用吊り装置がある（特許文献１）。
【０００３】
この下杭用吊り装置は、杭を斜めに吊るための装置であり、図６に示すように、杭６０の外周に嵌合される円筒状の吊り金具６２と、下杭の内径と略同一の内径を有し、且つ下杭の外径よりより大きい外径を有するリング状をした取付フランジ６１を有するものである。そして、杭６０に吊り金具６２を装着し、その後に、取付フランジ６２を杭頭上面に取り付け、杭６０を吊り上げた際に、吊り金具６２が杭頭から抜けないように補強するものである。
【０００４】
また、上中杭用吊り装置は、杭を垂直に吊るための装置であり、図７に示すように、杭７０の外径より大きい内径を持つ円筒状に形成され、その内周面に引掛片７１を備えた吊り金具７２と、杭７０と略同一の内径及び外径を有するリング状に形成され、その外周面部には複数個の係止用突片７３が設けられている取付フランジ７４とを有するものである。そして、この取付フランジ７４を杭頭上面に取り付け、この取付フランジ７４の係止用突片７３に吊り金具の引掛片７１が係止されるように、吊り金具７２を装着するものである。
【特許文献１】特開２００３−１６６２４１号公報
【発明の開示】
【発明が解決しようとする課題】
【０００５】
しかし、このような杭吊り装置においては、下杭用の取付フランジ６２、吊り金具６１、上中杭用の取付フランジ７４及び吊り金具７２は、それぞれ異なった構造をしており、部品数が多くなり、部品の管理及び部品の装着に手間がかかるものでる。
【０００６】
本発明はこのような従来の問題に鑑み、部品点数が少なく、容易に装着できる杭吊り装置の提供を目的としてなされたものである。
【課題を解決するための手段】
【０００７】
上述の如き従来の問題を解決し、所期の目的を達成するための請求項１に記載の発明の特徴は、既製コンクリート杭の頭部に装着され、吊りワイヤーを介して該既製コンクリート杭を吊り上げ、杭打ち機に装着させるための既製コンクリート杭吊り装置であって、前記既製コンクリート杭の頭部外周に嵌合されて固定される円筒形の垂直吊り部材と、該垂直吊り部材の下側にあって前記既製コンクリート杭の外周に嵌合される円筒形の傾斜吊り部材とを有し、前記垂直吊り部材は、端部に内向きフランジ状の杭固定部を有すると共に、外周の適宜個所に該垂直吊り部材を固定した既製コンクリート杭を垂直に吊り上げるための垂直吊り用吊り金具を備え、前記傾斜吊り部材には、その外周の片側に片寄せた位置に前記既製コンクリート杭を傾斜させた状態で吊り上げるための傾斜吊り用吊り金具を備え、前記垂直吊り部材と傾斜吊り部材とを、互いに固定自在にしたことにある。
【０００８】
請求項２に記載の発明の特徴は、請求項１に記載の構成に加え、前記垂直吊り部材と傾斜吊り部材との各接合側端部には外向きフランジを一体に備え、その両フランジ間をボルト止めすることによって該垂直吊り部材と傾斜吊り部材とを固定自在にしたことにある。
【０００９】
請求項３に記載の発明の特徴は、請求項２に記載の構成に加え、前記両外向きフランジの一方に前記胴部と同一中心半径の円弧状をしたボルト挿入用長孔を備え、該長孔を通して他方側のフランジをボルト止めすることにある。
【００１０】
請求項４に記載の発明の特徴は、請求項１〜３の何れか１に記載の構成に加え、前記垂直吊り部材は、円筒状の胴部と、該胴部先端に一体化されたリング状のフランジ部材とを有し、該フランジ部材をもって前記杭固定部を構成させ、該フランジ部材に、前記既製コンクリート杭の先端面に備えられているネジ孔に対応する位置に杭固定用のボルト挿入穴が設けられていることにある。
【００１１】
請求項５に記載の発明の特徴は、請求項１〜４に記載の構成に加え、前記垂直吊り部材には、その胴部の外周にあって、該胴部の軸心を中心として互いに対称な位置に一対の前記垂直吊り用吊り金具を備えていることにある。
【００１２】
請求項６に記載の発明の特徴は、請求項１〜５の何れか１に記載の構成に加え、前記傾斜吊り部材は円筒状の胴部を有し、該胴部の下端側外周に前記傾斜吊り用吊り金具を備えていることにある。
【発明の効果】
【００１３】
本発明に係る既製コンクリート杭吊り装置においては、請求項１に記載のように、既製コンクリート杭の先端に装着され、吊りワイヤーを介して該既製コンクリート杭を吊り上げ、杭打ち機に装着させるための既製コンクリート杭吊り装置であって、前記既製コンクリート杭の頭部外周に嵌合されて固定される円筒形の垂直吊り部材と、該垂直吊り部材の下側にあって前記既製コンクリート杭の外周に嵌合される円筒形の傾斜吊り部材とを有し、前記垂直吊り部材は、端部に内向きフランジ状の杭固定部を有すると共に、外周の適宜個所に該垂直吊り部材を固定した既製コンクリート杭を垂直に吊り上げるための垂直吊り用吊り金具を備え、前記傾斜吊り部材には、その外周の片側に片寄せた位置に前記既製コンクリート杭を傾斜させた状態で吊り上げるための傾斜吊り用吊り金具を備え、ことにより、既製コンクリート杭を垂直に吊る際には、垂直吊り部材を使用することができ、既製コンクリート杭を傾斜させた状態に吊る際には、垂直吊り部材及び傾斜吊り部材を使用すればよく、既製コンクリート杭に装着する部材は２つとなり、部材数の削減ができ、既製コンクリート杭吊り装置を既製コンクリート杭に装着することも容易となり、コストを削減することができる。
【００１４】
さらに、請求項１及び２に記載のように、垂直吊り部材と傾斜吊り部材との各接合側端部には外向きフランジが一体に備えられ、その両フランジ間をボルト止めすることによって該垂直吊り部材と傾斜吊り部材とを固定自在にすることによって、垂直吊り部材と傾斜吊り部材同士を固定することでき、既製コンクリート杭を傾斜させた状態に吊る際に、より安定して吊ることができる。
【００１５】
さらに、請求項３に記載のように、前記両外向きフランジの一方に前記胴部と同一中心半径の円弧状をしたボルト挿入用長孔を備え、該長孔を通して他方側のフランジをボルト止めすることによって、垂直吊り部材と傾斜吊り部材同士を固定する際に、垂直吊り部材と傾斜吊り部材の接合側端部の位置あわせが容易となり、容易に固定できる。
【００１６】
さらに、請求項４に記載のように、前記垂直吊り部材は、円筒状の胴部と、該胴部先端に一体化されたリング状のフランジ部材とを有し、該フランジ部材をもって前記杭固定部を構成させ、該フランジ部材に、前記既製コンクリート杭の先端面に備えられているネジ孔に対応する位置に杭固定用のボルト挿入穴を設けることによって、既製コンクリート杭の先端部に容易に垂直吊り部材を固定できる。
【００１７】
さらに、請求項５に記載のように、前記垂直吊り部材には、その胴部の外周にあって、該胴部の軸心を中心として互いに対称な位置に一対の前記垂直吊り用吊り金具を備えていることにより、既製コンクリート杭を垂直に吊る際に好適に吊ることができる。
【００１８】
さらに、請求項６に記載のように、前記傾斜吊り部材は円筒状の胴部を有し、該胴部の下端側外周に前記傾斜吊り用吊り金具を備えていることにより、既製コンクリート杭を傾斜させた状態に吊る際に、より好適に傾斜させた状態に吊ることができる。
【発明を実施するための最良の形態】
【００１９】
次に本発明の実施の形態を図１〜３に示した実施例に基づいて説明する。
【００２０】
図１は、既製コンクリート杭に本発明に係る既製コンクリート杭吊り装置を装着した状態を示しており、符号１は既製コンクリート杭吊り装置を、符号２は既製コンクリート杭を示している。
【００２１】
本発明に係る既製コンクリート杭吊り装置１は、垂直吊り部材３と傾斜吊り部材４を有する。この垂直吊り部材３及び傾斜吊り部材４は、図１に示すとおり、既製コンクリート杭２の頭部において、既製コンクリート杭２の頭部側外周に垂直吊り部材３が嵌合されて固定され、その固定された垂直吊り部材３の下側外周に傾斜吊り部材４が嵌合されて装着されて、傾斜吊り部材４にワイヤー等の吊り具を取り付け、クレーン等によって吊り上げることによって、既製コンクリート杭２が傾斜した状態で吊り上げられる。
【００２２】
また、既製コンクリート杭２を垂直な状態で吊り上げる際には、垂直吊り部材３にワイヤー等を連結して吊り上げる。この際には、既製コンクリート杭２に装着するのは、垂直吊り部材３のみでもよい。
【００２３】
尚、既製コンクリート杭２は、この既製コンクリート杭吊り装置１が装着された杭頭部が上側となるように吊られるものである。
【００２４】
垂直吊り部材３は、図２に示すように、既製コンクリート杭の外周に嵌合される内面円筒状の垂直吊り胴部５と、この垂直吊り胴部５の外面に形成された既製コンクリート杭を吊るためのワイヤー等を取り付ける垂直吊り用吊り金具６と、既製コンクリート杭に垂直吊り部材３を固定するための杭固定部７とを備えている。
【００２５】
垂直吊り胴部５は図２に示すように、既製コンクリート杭２の外径よりやや大きい内径を持つ円筒状に形成されており、垂直吊り胴部５の下端側外面には、上側フランジ８と下側フランジ９とからなるが互いに平行となるように形成されている。１対のフランジが一体に備えられている。この両フランジ８，９間には、その円周方向の所定間隔毎に、両フラン時間を連結する縦向きの補強片１０が介在され、両フランジ８，９を補強している。
【００２６】
また、垂直吊り胴部５には、垂直吊り胴部５の軸心を中心として互いに対称となる位置に、一対の垂直吊り用吊り金具６が備えられている。この垂直吊り用吊り金具６は、垂直吊り胴部の外面に突設された突設部１１と、この突設部１１に支持され吊り孔１３を有する吊り部材１２とを有しており、突設部１１は垂直吊り胴部５の上側フランジ８と下側フランジ９に跨った状態でこれに一体化されている。
【００２７】
突設部１１は、両フランジ８，９の外周の一部を水平方向に突出させた凸部８ａ，９ａと、その凸部８ａ，９ａ間及びフランジ８，９間に連続して介在させた縦向きの補強板１１ａとから構成されており、この突設部１１の突端に吊り部材１２が一体化されている。
【００２８】
吊り部材１２は、板状をしており、その長手方向の一方側端部は半円形状に形成されている。そして、その半円形状の一方側端部に、該半円と同中心の円形孔をした吊り孔１３が形成され、該吊り孔１３側の端部を垂直吊り胴部５の上端側に向けて突設部１１の上側に突出させた状態で、吊り部材１２が前記突設部１１に一体化されている。
【００２９】
垂直吊り胴部５の上端に杭固定部７が一体化されて備えられている。この杭固定部７は図２に示すように、平板を円形リング状に形成した形状をなしており、垂直吊り胴部５の上端に内向きフランジ状をなす配置に一体化されている。この杭固定部７は、内径が既製コンクリート杭２の内径より小さく、外径は、垂直吊り胴部５の外径と等しいリング状に形成され、そのリング上には、円周方向の一定間隔毎に一体化させた多数の半径方向補強リブ２２と、前記リング状の内周縁正面に一体化させたリング状補強リブ２３とを一体に有している。
【００３０】
この杭固定部７に、その円形リングと同心円上に多数のボルト挿入穴２１，２１......が所定の間隔をもって上下に貫通開口されている。このボルト挿入穴２１，２１......は、既製コンクリート杭２の端面に備えられているネジ孔に対応する配置となっているものであり、図４に示すようにボルト２４をボルト挿入穴２１，２１......を通して既製コンクリート杭２に備えられたネジ孔に螺着させることによって、垂直吊り胴部５を既製コンクリート杭２に固定することができるようになっている。
【００３１】
下側フランジ９の外周には、垂直吊り胴部５の中心を中央にして対称な位置に、長孔形成用の一対の張出部２４，２４が一体に備えられ、この各張出部２４に垂直吊り胴部５同心の配置の円弧状をした長孔２５，２５が上下に貫通開口されている。
【００３２】
傾斜吊り部材４は図３に示すように、既製コンクリート杭２の外周に嵌合され、既製コンクリート杭２を吊る際に既製コンクリート杭２を支持する内面円筒状の傾斜吊り胴部３１と、この傾斜吊り胴部３１の外面に、その一側面側に片寄せた位置に一体に備えた傾斜吊り用吊り金具３２とを有している。傾斜吊り用吊り金具３２にワイヤー等の吊り材を係止させてクレーンにて吊り上げることにより、既製コンクリート杭２が斜めに吊り上げられるようになっている。
【００３３】
傾斜吊り胴部３１は、既製コンクリート杭２の外径よりやや大きい内径を持つ円筒状に形成されており、その下端部外面、上側フランジ３３と下側フランジ３４とからなる一対のフランジが互いに平行となるように一体化されている。この上下のフランジ３３，３４の間には、所定間隔毎を隔てて四角形板状をした複数の補強片３６，３６......を立て向きにして一体に介在させている。
【００３４】
上下両フランジ３３，３４には、外周の一部を突出させた吊り用金具取付部３５が備えられ、これに一対の傾斜吊り用吊り金具３２，３２が一体化されている。この各傾斜吊り用吊り金具３２は、一方側端部が半円形状をした板状に形成されており、その半円形状をした端部側にその半円と同中心の円形孔である吊り孔３２ａが形成されている。
【００３５】
この傾斜吊り用吊り金具３２は、その吊り孔３２ａ側の端部を上側フランジ３３の上面側に突出させた状態で上下のフランジ３３，３４に跨らせてこれに一体化させることによって固定され、吊り金具３２の長手方向が、円筒状の傾斜吊り胴部の軸心と平行に向けられている。また、一対の吊り金具３２，３２は、所定の間隔を開けて互いに平行で、それぞれの吊り孔３２ａ，３２ａが同高さとなる配置に固定されている。
【００３６】
また、傾斜吊り胴部３１の側面には、傾斜吊り胴部３１と一体に胴補強部５１が備えられている。この胴補強部５１は、円筒状の傾斜吊り胴部３１の側面に備えられ、下側フランジ３４から、これに垂直に傾斜吊り胴部３１上端にまで形成された略長方形板状をした一対の補強板５２，５２を有し、この互いに所定の間隔を開けて設置された一対の補強板５２，５２の間には、この補強板５２，５２に略垂直に、板状をした補強片５３，５３......が所定の間隔を開けて、一方の補強板５２から他方の補強板５２に掛け渡されるように、傾斜吊り胴部３１と一体化されている。また、この胴補強部は、傾斜吊り胴部３１の側面の一対の傾斜吊り用吊り金具３２の間に形成されている。
【００３７】
傾斜吊り胴部３１の上端部外周には、半径方向に垂直吊り部材固定用の突片５５，５５が、該胴部の中心を中央にして互いに対称な位置に突設されており、この両突片５５にボルト挿通孔５６が上下に貫通開口されている。そして、図４に示すように各ボルト挿通孔５６と、前述した垂直吊り部材３の下側フランジの各張出部２４に設けられている各長孔２５に吊り部材間連結用のボルト５７を貫通させ、ナット５８を螺嵌させて締結することにより、両吊り部材３，４を互いに連結できるようになっている。
【００３８】
次に、この既製コンクリート杭吊り装置１の使用方法について一例を述べる。
【００３９】
既製コンクリート杭２の地中埋設方法の一つとしの中掘り工法において、最初の既製コンクリート杭２を打ち込む際に、予め円筒状の既製コンクリート杭２の中空部に挿入しておいたスパイラルロッド８１と杭打ち機８２のオーガ８３を接続する必要がある。その際には、クレーン８４と杭打ち機８２の干渉を避けるため、既製コンクリート杭２を斜めに吊り上げる。この既製コンクリート杭２を斜めに吊る際には、図４に示すように、既製コンクリート杭２の頭部に、垂直吊り部材３及び傾斜吊り部材４を装着し、傾斜吊り部材に備えられた傾斜吊り用吊り金具３２にワイヤー８５を接続し、そのワイヤー８５をクレーン８４によって吊り上げることによって、既製コンクリート杭２を傾斜させて吊る。
【００４０】
また、最初の既製コンクリート杭２を沈設させた後に、別の既製コンクリート杭２を継ぎ足す際には、既に埋め込まれた既製コンクリート杭の上に、別の既製コンクリート杭を垂直に接続する。この場合は、図５に示すように、垂直吊り部材３を別の既製コンクリート杭２の頭部に装着し、垂直吊り部材３に備えられた垂直吊り用吊り金具６とクレーン８４をワイヤー８５を介して接続し、既製コンクリート杭２を垂直に吊り上げる。
【００４１】
尚、垂直吊り部材３及び傾斜吊り部材４は、既製コンクリート杭吊り装置１を既製コンクリート杭２に装着した際に、傾斜吊り部材４に備えられた傾斜吊り用吊り金具３２が、既製コンクリート杭の上端から１．５ｍ程度の位置となるような大きさにするとよい。
【図面の簡単な説明】
【００４２】
【図１】本発明に係る既製コンクリート杭吊り装置を横向きに寝かせたコンクリート杭に固定した状態の平面図である。
【図２】（イ）は同上の垂直吊り部材を示す平面図、（ロ）は同右半分を縦断した半縦断正面図、（ハ）は同側面図である。
【図３】（イ）は同上の傾斜吊り部材を示す平面図、（ロ）は同右半分を縦断した半縦断正面図、（ハ）は同側面図である。
【図４】図１に示す装置のコンクリート杭に固定した状態の拡大断面図である。
【図５】同装置によりコンクリート杭を傾斜吊り状態にして杭打ち機に装着する工程を示す側面図である。
【図６】同装置によりコンクリート杭を垂直吊り状態にして先に打設したコンクリート杭上に移動させる工程を示す側面図である。
【図７】従来のコンクリート杭吊り装置により斜め吊りした状態を示す側面図である。
【図８】同上の装置のコンクリート杭に対する固定状態を示す断面図である。
【符号の説明】
【００４３】
１ 既製コンクリート杭吊り装置
２ 既製コンクリート杭
３ 垂直吊り部材
４ 傾斜吊り部材
５ 垂直吊り胴部
６ 垂直吊り用吊り金具
７ 杭固定部
８ 上側フランジ
９ 下側フランジ
１０ 補強片
１１ 突設部
１２ 吊り部材
１３ 吊り孔
２１ ボルト挿入穴
２２ 固定リング部
２３ 補強リング部
２４ 張出部
２５ 長孔
３１ 傾斜吊り胴部
３２ 傾斜吊り用吊り金具
３２ａ 吊り孔
３３ 上側フランジ
３４ 下側フランジ
３５ 吊り用金具取付部
３６ 補強片
５１ 胴補強部
５２ 補強板
５３ 補強片
５５ 突片
５６ ボルト挿通孔
５７ 吊り部材間連結用のボルト
５８ ナット
８１ スパイラルロッド
８２ 杭打ち機
８３ オーガ
８４ クレーン
８５ ワイヤー
【図１】
0005099544.tif 000002
【図２】
0005099544.tif 000003
【図３】
0005099544.tif 000004
【図４】
0005099544.tif 000005
【図５】
0005099544.tif 000006
【図６】
0005099544.tif 000007
【図７】
0005099544.tif 000008
【図８】
0005099544.tif 000009